(57)【要約】    【課題】記録媒体から読み取られた読取信号にジッタを生じさせることなく、ＳＮ比を改善させることが出来る波形等化器および記録情報再生装置を提供することを目的とする。    【解決手段】記録媒体から読み取られた読取信号にフィルタリング処理を施して得られたフィルタ処理読取信号の振幅レベルを、最小反転間隔の次に短い記録データに対応する上記フィルタ処理読取信号の振幅よりも小さい振幅制限値にて制限し、この振幅制限された振幅制限読取信号に対してフィルタリング処理を施すことにより波形等化を行う。    【選択図】  図７
2005190653.tif 000002
【特許請求の範囲】
【請求項１】
記録媒体に記録されているRLL（Run Length Limited）符号化された信号を読み取って得られた読取信号に対して波形等化を行って等化補正読取信号を得る波形等化器であって、
前記読取信号に対してフィルタリング処理を施してフィルタ処理読取信号を得る第１フィルタと、
前記フィルタ処理読取信号の振幅レベルを最小反転間隔の次に短い記録データに対応する前記フィルタ処理読取信号の振幅よりも小さい振幅制限値にて制限して振幅制限読取信号を得る振幅制限手段と、
前記振幅制限読取信号をフィルタリング処理したものを前記等化補正読取信号として出力する第２フィルタと、を備えたことを特徴とする波形等化器。
【請求項２】
前記第１及び第２フィルタは、前記最小反転間隔の記録データに対応する信号を強調するフィルタであることを特徴とする請求項１に記載の波形等化器。
【請求項３】
前記振幅制限値は、前記最小反転間隔の記録データに対応する前記フィルタ処理読取信号の振幅以上の値を有することを特徴とする請求項１又は２に記載の波形等化器。
【請求項４】
前記第２フィルタは、（−ｋ、ｋ、０、ｋ、−ｋ）なるタップ係数を有するＦＩＲフィルタであることを特徴とする請求項１乃至３のいずれか１に記載の波形等化器。
【請求項５】
記録媒体から記録情報の再生を行う記録情報再生装置であって、  前記記録媒体から前記記録情報を読み取って読取信号を得るピックアップと、前記読取信号に対して波形等化を行って等化補正読取信号を得る波形等化器と、前記等化補正読取信号を復調して再生信号を出力する復調手段と、を備え、
前記波形等化器は、 前記読取信号に対してフィルタリング処理を施してフィルタ処理読取信号を得る第１フィルタと、
前記フィルタ処理読取信号の振幅レベルを最小反転間隔の次に短い記録データに対応する前記フィルタ処理読取信号の振幅よりも小さい振幅制限値にて制限して振幅制限読取信号を得る振幅制限手段と、
前記振幅制限読取信号をフィルタリング処理したものを前記等化補正読取信号として出力する第２フィルタと、を有することを特徴とする記録情報再生装置。
【発明の詳細な説明】
【技術分野】
【０００１】
本発明は、記録媒体から記録情報の再生を行う記録情報再生装置における波形等化器および記録情報再生装置に関する。
【背景技術】
【０００２】
ディジタルデータが高密度記録されている記録媒体から読み取られた読取信号のＳＮ比を改善すべく、かかる読取信号に対して高域を強調するフィルタリング処理を施して波形等化を行う技術が知られている。この際、読取信号に対する高域の強調具合を高めるほどＳＮ比の改善率を高めることが出来るが、高域を強調し過ぎると符号間干渉が増加し、逆にジッタが発生してしまうという問題があった。
【発明の開示】
【発明が解決しようとする課題】
【０００３】
本発明は、かかる問題を解決すべくなされたものであり、記録媒体から読み取られた読取信号にジッタを生じさせることなく、ＳＮ比を改善させることが出来る波形等化器および記録情報再生装置を提供することを目的とする。
【課題を解決するための手段】
【０００４】
本発明による波形等化器は、記録媒体に記録されているRLL（Run Length Limited）符号化された信号を読み取って得られた読取信号に対して波形等化を行って等化補正読取信号を得る波形等化器であって、前記読取信号に対してフィルタリング処理を施してフィルタ処理読取信号を得る第１フィルタと、前記フィルタ処理読取信号の振幅レベルを最小反転間隔の次に短い記録データに対応する前記フィルタ処理読取信号の振幅よりも小さい振幅制限値にて制限して振幅制限読取信号を得る振幅制限手段と、前記振幅制限読取信号をフィルタリング処理したものを前記等化補正読取信号として出力する第２フィルタと、を備える。
【０００５】
また、本発明による記録情報再生装置は、記録媒体から記録情報の再生を行う記録情報再生装置であって、前記記録媒体から前記記録情報を読み取って読取信号を得るピックアップと、前記読取信号に対して波形等化を行って等化補正読取信号を得る波形等化器と、前記等化補正読取信号を復調して再生信号を出力する復調手段と、を備え、前記波形等化器は、 前記読取信号に対してフィルタリング処理を施してフィルタ処理読取信号を得る第１フィルタと、前記フィルタ処理読取信号の振幅レベルを最小反転間隔の次に短い記録データに対応する前記フィルタ処理読取信号の振幅よりも小さい振幅制限値にて制限して振幅制限読取信号を得る振幅制限手段と、前記振幅制限読取信号をフィルタリング処理したものを前記等化補正読取信号として出力する第２フィルタと、を有する。
【発明を実施するための最良の形態】
【０００６】
記録媒体から読み取られた読取信号にフィルタリング処理を施して得られたフィルタ処理読取信号の振幅レベルを、最小反転間隔の次に短い記録データに対応する上記フィルタ処理読取信号の振幅よりも小さい振幅制限値にて制限し、この振幅制限された振幅制限読取信号に対してフィルタリング処理を施すことにより波形等化を行う。
【実施例】
【０００７】
以下、本発明の実施例について説明する。
【０００８】
図１は、本発明による波形等化器を備えた記録情報再生装置の構成を示す図である。
【０００９】
図１において、ピックアップ１は、スピンドルモータ２によって回転する記録ディスク３に記録されている記録情報を読み取り、この際得られた読取信号をアンプ４に供給する。アンプ４は、かかる読取信号を所望に増幅して得られた読取信号Ｒを波形等化器５に供給する。
【００１０】
波形等化器５における振幅制限回路５１は、上記読取信号Ｒの信号レベルを図２（ａ）又は図２（ｂ）に示されるが如き入出力特性にて変換することにより、かかる読取信号Ｒに振幅制限を施し、この際得られた振幅制限読取信号ＲLIMを高域強調フィルタ５２に供給する。この際、振幅制限回路５１が図２（ａ）に示されるが如き特性を有するものであれば、読取信号Ｒの信号レベルが所定の振幅制限値Ｔhよりも小であり、かつ振幅制限値−Ｔhよりも大である場合には、この読取信号Ｒの信号レベルをそのまま振幅制限読取信号ＲLIMとして出力する。一方、読取信号Ｒの信号レベルが振幅制限値Ｔhよりも大である場合には、この振幅制限値Ｔh自体を振幅制限読取信号ＲLIMとして出力する。又、読取信号Ｒの信号レベルが振幅制限値−Ｔhよりも小である場合には、この振幅制限値−Ｔh自体を振幅制限読取信号ＲLIMとして出力する。
【００１１】
一方、振幅制限回路５１が図２（ｂ）に示されるが如き特性を有するものであれば、上記振幅制限値Ｔh及び−Ｔhにて飽和する非線形飽和特性にて上記読取信号Ｒの振幅制限を行うのである。高域強調フィルタ５２は、かかる振幅制限回路５１から供給された振幅制限読取信号ＲLIMの高域成分のレベルを強調し、これを等化補正読取信号ＲHとして２値判定回路６に供給する。２値判定回路６は、かかる等化補正読取信号ＲHの信号レベルに基づいて、これが論理レベル"１"及び"０"のいずれに相当するものであるのかを判定し、その判定結果を再生データとして出力する。
【００１２】
次に、上記波形等化器５の動作について説明する。図１に示されるが如き記録情報再生系の再生特性は、そのカットオフ波長が、
λ／2・NA
λ：ピックアップ１における光源の波長
NA：ピックアップ１における対物レンズの開口数
にて決定するＬＰＦ（ローパスフィルタ）特性となる。例えば、ＤＶＤでは記録密度を高めるべく、最短記録波長の信号、すなわち８／１６変調におけるランレングス３Ｔ（Ｔは、情報データ系列のビット間隔を示す）に対応した信号を、その再生特性におけるカットオフ波長近傍に設定するので、このランレングス３Ｔに対応した読取信号のレベルは低下する。
【００１３】
そこで、かかるランレングス３Ｔの信号に対するＳＮ比を改善すべく、高域強調フィルタ５２にて、このランレングス３Ｔの信号に対応した高周波数成分を持ち上げる。この際、高域強調フィルタ５２にて過度な高域強調が為されると符号間干渉が生じ、逆にジッタが発生してしまうことになるが、本発明による波形等化器においては、このジッタの発生を防止すべく振幅制限回路５１を設けている。
【００１４】
図３は、かかる振幅制限回路５１によるジッタの発生を防止する動作原理を、ＤＶＤに用いられる８／１６変調の如き最小反転間隔が３ＴであるＲＬＬ（RunLength Limited)符号を用いて記録されたデータを再生する場合について示した図である。記録データは、最小反転間隔が３Ｔであるので、記録データの「１」または「−１」は必ず３個以上連続する。したがって、Ｄ-1とＤ1との間で、「１」から「−１」にデータが反転する場合には、Ｄ-2、Ｄ-3は「１」、Ｄ2とＤ3は「−１」に確定する。Ｘにて示した、Ｄ-4以前のデータとＤ4以降のデータは１、−１のどちらの場合もあり得ることを示している。
【００１５】
このような記録データを読み取った際に得られる読取信号の波形は、その周辺の記録データパターン（Ｄ-4以前のデータとＤ4以降のデータが「１」、「−１」のいずれであるか）の組み合わせにより、無数のパターンが存在するが、いずれの場合の波形のゼロクロス点での値ｙ0は０に収束している（即ち、符号間干渉（ジッタ）がゼロである）ものとする。
【００１６】
ここで、上記高域強調フィルタ５２が、仮に図４（ａ）に示されるが如きＦＩＲ(Finite Impulse Resnponse)フィルタであるとする。
【００１７】
尚、図４（ａ）に示されるＦＩＲフィルタは、単位遅延素子ＦＤ1〜ＦＤ4と、各々が乗算係数｛−ｋ、１、−ｋ｝を有する係数乗算器Ｍ1〜Ｍ3と、係数乗算器Ｍ1〜Ｍ3の出力を総和したものを等化補正読取信号ＲHとして出力する加算器ＡＤとからなる、いわゆるコサインイコライザである。
【００１８】
この際、かかるＦＩＲフィルタが上記ゼロクロス点にて高域強調を実施した際に得られる信号ｚ0は、
ｚ0＝(−ｋ)・ｙ-2＋ｙ0＋(−ｋ)・ｙ2
ｙ-2：ゼロクロス点の直後２番目に離れた位置での読取信号レベル
ｙ0 ：ゼロクロス点での読取信号レベル
ｙ2：ゼロクロス点の直前２番目に離れた位置での読取信号レベル
となる。
【００１９】
ところが、図３の読取信号Ｒの各種波形にも示されているように、ｙ-2及びｙ2の取り得る値は、周辺の記録データパターンにより様々な値となるので、単に上式に従った高域強調を行うと、これらｙ-2及びｙ2のばらつきの影響がそのまま符号間干渉として現れてしまう。そこで、振幅制限回路５１により、読取信号Ｒに対して振幅制限値Ｔh及び−Ｔhで振幅リミットを掛けて、上記ｙ-2及びｙ2のばらつきをｙ'-2及びｙ'2の如く強制的に抑える。これら信号ｙ'-2及びｙ'2を用いて、
ｚ0'＝(−ｋ)・ｙ'-2＋ｙ0＋(−ｋ)・ｙ'2
なる演算を行うことにより、ｚ0'のばらつき（ジッタ）の発生を防止できる。かかる動作により、符号間干渉を生じさせることなく、高域強調フィルタ５２での十分な高域強調を実施可能とするのである。尚、振幅制限値Ｔh及び−Ｔhにおける絶対値Ｔhは、最短波長となるランレングス３Ｔの読取信号レベルよりも大であり、かつその次にランレングスの短い４Ｔの読取信号レベルよりも小なる値に設定する。
【００２０】
又、上記高域強調フィルタ５２は、実際には、図４（ｂ）に示すような(−ｋ、ｋ、１、ｋ、−ｋ）なるタップ係数のＦＩＲフィルタを用いる。尚、図４（ｂ）に示されるＦＩＲフィルタは、単位遅延素子ＦＤ1〜ＦＤ4と、各々が乗算係数｛−ｋ、ｋ、１、ｋ、−ｋ｝を有する係数乗算器Ｍ1〜Ｍ5と、係数乗算器Ｍ1〜Ｍ5の出力を総和したものを等化補正読取信号ＲHとして出力する加算器ＡＤとからなる、いわゆるコサインイコライザである。
【００２１】
かかる構成からなる高域強調フィルタ５２によれば、ゼロクロス時点にて出力される等化補正読取信号ＲHは、
ＲH＝(−ｋ)・ｙ'-2＋ｋ・(ｙ'-1）＋ｙ'0＋ｋ・(ｙ'1）＋(−ｋ)・ｙ'2             ＝ｙ'0＋ｋ(ｙ'-1−ｙ'-2)＋ｋ(ｙ'1−ｙ'2)
となり、ｙ'-1＝ｙ'-2、ｙ'1＝ｙ'2なる条件を満たせば、係数ｋの値すなわち、高域の強調量に拘わらず符号間干渉は生じない。
【００２２】
以上の如く、波形等化器５では、読取信号Ｒに対して所定の振幅制限値にて振幅制限を施してから高域強調フィルタ５２によるフィルタリング処理を行う構成としている。この際、上記振幅制限値は、ランレングスの最も短い記録データ（ランレングス３Ｔの記録データ）を読み取った際に得られる最短記録波長の信号レベルよりも大でありかつ次にランレングスの短い記録データ（ランレングス４Ｔの記録データ）を読み取った際に得られる読取信号レベルよりも小に設定している。
【００２３】
よって、かかる構成によれば、高域強調した際に符号間干渉が生ずる原因となるところの読取信号中におけるゼロクロス前後の読取信号レベルのばらつきが強制的に抑えられるので、高域強調フィルタ５２にて充分な高域強調を行っても符号間干渉は生じないのである。尚、波形等化器５の内部構成は図１に示されるものに限定されるものではない。
【００２４】
図５は、波形等化器５の他の構成を示す図である。
【００２５】
図５において、振幅制限回路５１及び高域強調フィルタ５２による信号処理は、図１に示されるものと同一である。しかしながら、図５に示される波形等化器では、アンプ４から供給される読取信号Ｒに対して高域強調を掛ける第２の高域強調フィルタ５３を更に設ける構成としている。これら高域強調フィルタ５２及び５３各々から出力された高域強調読取信号同士を加算器５４にて加算したものを等化補正読取信号ＲHとして２値判定回路６に供給するのである。
【００２６】
図６は、図５に示される波形等化器５の具体例を示す図である。
【００２７】
図６においては、高域強調フィルタ５２を、単位遅延素子ＦＤ1〜ＦＤ4と、各々が乗算係数｛−ｋ、ｋ、ｋ、−ｋ｝を有する係数乗算器Ｍ1、Ｍ2、Ｍ4及びＭ5と、これら係数乗算器各々の出力を総和したものを出力する加算器ＡＤとからなる、タップ係数(−ｋ、ｋ、０、ｋ、−ｋ）のＦＩＲフィルタにて実現する。
【００２８】
ここで、ジッタ発生防止の原理は、振幅制限回路５１にて読取信号を振幅制限することにより、図３におけるｙ-2及びｙ2のばらつきを強制的に抑えることにある。この際、ゼロクロス点での信号レベルｙ0は略０なので、振幅制限の前後でその信号レベルは変化しない。そこで、図４（ｂ）の係数乗算器Ｍ3にて実施される係数乗算を、図６に示されるが如く、高域強調フィルタ５３において実施し、その結果を高域強調フィルタ５２の出力と加算（加算器５４）するようにしても、振幅制限回路５１によるジッタ発生防止の効果は発揮されるのである。
【００２９】
尚、図３の説明では、読取信号Ｒに符号間干渉がなく、ｙ0が０に収束している場合について説明したが、符号間干渉が存在する場合には、図６に示される高域強調フィルタ５３で適度の高域強調を施して符号間干渉を除去してｙ0が０に収束する信号を生成し、これを高域強調フィルタ５２の出力と加算するようにしても良い。
【００３０】
一方、図１に示される波形等化器５の構成では、振幅制限回路５１によって低域の信号レベルが制限されるので、高域強調を高めると高域の信号レベルよりも低域の信号レベルが低くなってしまう場合がある。しかしながら、図６に示される構成では、振幅制限回路５１で低域の信号レベルが低下することはないので、その情報再生精度は図１に示されるものに比して高い。
【００３１】
ここで、本発明による波形等化器５としては、図１に示される振幅制限回路５１の前段に、読取信号Ｒに含まれる符号間干渉を予め除去すべくこの読取信号Ｒに対して高域強調を掛ける高域強調フィルタ５５を設けるようにした、図７に示す如き構成を採用する。
【００３２】
尚、上記波形等化器５としては、図８に示されるが如き、図５の波形等化器５の前段に上記高域強調フィルタ５５を備えた形態であっても良い。この際、かかる高域強調フィルタ５５は、ランレングス３Ｔに対応した読取信号、すなわち最短波長信号のレベルが極端に低下した場合に、これを持ち上げる為に用いられる。
【００３３】
又、上記実施例においては、振幅制限回路５１における振幅制限値Ｔh及び−Ｔhを所定の固定値として説明したが、この振幅制限値を読取信号Ｒのレベルに応じて自動生成するようにしても良い。
【００３４】
図９は、かかる点に鑑みて為された振幅制限回路５１の内部構成を示す図である。
【００３５】
図９において、振幅制限値生成回路５１１は、読取信号Ｒにおけるゼロクロス時点に最も近いサンプル点での読取信号レベルの絶対値の平均を求め、これを振幅制限値Ｔhとしてリミッタ５１０に供給する。リミッタ５１０は、かかる振幅制限値Ｔhに基づき読取信号Ｒに対する振幅制限を行って振幅制限読取信号ＲLIMを得る。
【００３６】
ここで、振幅制限値生成回路５１１は、絶対値化回路５１２、ゼロレベル検出回路５１３、ローパスフィルタ５１４、フリップフロップＤ１〜Ｄ３、オアゲートＯＲ、及びスイッチＳＷから構成される。かかる構成からなる振幅制限値生成回路５１１の内部動作波形の一例を図１０に示す。かかる振幅制限値生成回路５１１における絶対値化回路５１２は、読取信号Ｒの絶対値を求めこれを読取信号絶対値ＲbとしてフリップフロップＤ１に供給する。フリップフロップＤ１は、かかる読取信号絶対値Ｒbを１サンプリング周期分だけ遅延させたものを遅延読取信号絶対値ＲcとしてスイッチＳＷに供給する。ゼロレベル検出回路５１３は、読取信号Ｒがゼロレベルになった場合に限り論理レベル"１の"パルス信号Ｒdを発生する。フリップフロップＤ１及びＤ２は、かかるパルス信号Ｒdを２サンプリング周期分だけ遅延させたものを遅延パルス信号ＲeとしてオアゲートＯＲに供給する。オアゲートＯＲは、上記パルス信号Ｒd又は遅延パルス信号Ｒeのいずれか一方が論理レベル"１"である期間中に限り論理レベル"１"のスイッチオン信号Ｒfを発生し、これをスイッチＳＷに供給する。スイッチＳＷは、論理レベル"１"のスイッチオン信号Ｒfが供給されている間に限りオン状態となって、上記遅延読取信号絶対値Ｒcをローパスフィルタ５１４に供給する。ローパスフィルタ５１４は、かかる遅延読取信号絶対値Ｒcの平均値を求めこれを振幅制限値Ｔhとしてリミッタ５１０に供給する。
【００３７】
振幅制限値生成回路５１１は、かかる構成により、図１０に示される読取信号Ｒ中における各サンプル値｛ｒ1〜ｒ11｝の内、ゼロクロス時点に最も近いサンプル値｛ｒ2、ｒ4、ｒ6、ｒ8、ｒ10｝の絶対値｛ -ｒ2、ｒ4、ｒ6、-ｒ8、-ｒ10｝の平均を振幅制限値Ｔhとするのである。尚、上記振幅制限回路５１としては、図９に示されるものに限定されるものではなく、図１１に示されるが如き構成を採用しても良い。
【００３８】
図１１に示される振幅制限回路５１では、図９に示される構成と同様に、振幅制限値生成回路５１１で求めた振幅制限値Ｔhにて読取信号に対する振幅制限を実行しつつも、かかる振幅制限値Ｔhが所定の目標振幅制限値Ｔhmに収束するように帰還制御を行っている。すなわち、減算器５１６及びループフィルタ５１７により、上記振幅制限値Ｔhと目標振幅制限値Ｔhmとの誤差値を求め、かかる誤差値に基づいたゲインにて読取信号に対する増幅を行う。つまり、図１に示されるアンプ４に代わり、図１１に示されるが如きゲイン可変アンプ４’を用いるのである。
【００３９】
図１２は、振幅制限値生成回路５１１にて求められた振幅制限値Ｔhが目標振幅制限値Ｔhmに満たない場合における内部動作波形を示す図であり、ゲイン可変アンプ４’のゲインは不足状態にある。よって、この際、ループフィルタ５１７は正極性の誤差値を出力することになり、ゲイン可変アンプ４’のゲインが増大する方向に帰還制御される。これにより、読取信号Ｒの振幅レベルは全体的に大となる。
【００４０】
一方、図１３は、振幅制限値生成回路５１１にて求められた振幅制限値Ｔhが、目標振幅制限値Ｔhmを越えている場合における内部動作波形を示す図であり、ゲイン可変アンプ４’のゲインは過大状態にある。よって、この際、ループフィルタ５１７は負極性の誤差値を出力することになり、ゲイン可変アンプ４’のゲインが減少する方向に帰還制御される。これにより、読取信号Ｒの振幅レベルは全体的に小となる。
【００４１】
尚、図１１に示される実施例においては、リミッタ５１０は、振幅制限値生成回路５１１にて求めた振幅制限値Ｔhを用いる構成としているが、かかる振幅制限値Ｔhに代わり上記目標振幅制限値Ｔhmを用いるようにしても良い。又、振幅制限値生成回路５１１の内部構成としては、図９に示されるものに限定されるものではなく、例えば、図１４に示される構成を採用しても良い。
【００４２】
図１４に示される振幅制限値生成回路５１１では、読取信号Ｒの振幅レベルを検出し（振幅検出回路５１８）、この検出した振幅レベルに所定値ｋを乗算（乗算器５１９）したものを上記振幅制限値Ｔhとして出力するものである。又、図９及び図１１に示されるリミッタ５１０としては、図１５に示されるが如きアナログリミッタを用いても良い。
【００４３】
図１５に示されるアナログリミッタは、入力信号ＩＮのレベルが、
｜(Ｒ２/Ｒ１)・ＩＮ｜＜｜Ｖd｜
Ｖd：ダイオードＤ１及びＤ２の順方向電圧
である場合には、ダイオードＤ１及びＤ２は共にオフ状態となるので、実質的には抵抗Ｒ１、Ｒ２及びオペアンプＯＰからなる反転アンプの動作となる。すなわち、その出力信号ＯＵＴは、
ＯＵＴ＝−(Ｒ２/Ｒ１)・ＩＮ
となる。
【００４４】
一方、入力信号ＩＮのレベルが、
−(Ｒ２/Ｒ１)・ＩＮ＞ Ｖd
である場合には、ダイオードＤ２が順方向バイアスされて導通状態となるので、この際、出力信号ＯＵＴはダイオードＤ２の順方向電圧Ｖdにてその最大レベルを制限されることになる。
【００４５】
又、入力信号ＩＮのレベルが、
−(Ｒ２/Ｒ１)・ＩＮ＜ −Ｖd
である場合には、ダイオードＤ１が順方向バイアスされて導通状態となるので、この際、出力信号ＯＵＴは−Ｖdにてその最小レベルを制限されることになる。
【００４６】
以上の如き動作により、図１５に示されるアナログリミッタは、図１６に示されるが如き入出力特性にて読取信号に対する振幅制限を実現するのである。
【００４７】
又、図９及び図１１に示されるリミッタ５１０としては、図１７に示されるが如き構成を採用しても良い。
【００４８】
図１７において、比較器ＣＭ１は、入力信号ＩＮと、振幅制限値Ｔhとの大小比較を行い、入力信号ＩＮの方が大である場合には論理レベル"１"、入力信号ＩＮの方が小である場合には論理レベル"０"の比較結果信号ＧＴを発生し、これをセレクタＳＥＬ１に供給する。セレクタＳＥＬ１は、上記入力信号ＩＮ及び振幅制限値Ｔhの内から、比較結果信号ＧＴの論理レベルに応じた方を択一的に選択してこれをセレクタＳＥＬ２に供給する。つまり、セレクタＳＥＬ１は、比較結果信号ＧＴが論理レベル"１"、すなわち入力信号ＩＮ及び振幅制限値Ｔhの内で、入力信号ＩＮの方が大である場合には振幅制限値Ｔhを選択してこれをセレクタＳＥＬ２に供給する。一方、比較結果信号ＧＴが論理レベル"０"、すなわち入力信号ＩＮの方が小である場合には、入力信号ＩＮを選択してこれをセレクタＳＥＬ２に供給する。
【００４９】
乗算器ＭＵは、振幅制限値Ｔhに"−１"を乗算することにより振幅制限値Ｔhの極性を反転した振幅制限値−Ｔhを求め、これをセレクタＳＥＬ２及び比較器ＣＭＰ２に供給する。比較器ＣＭ２は、上記入力信号ＩＮと、上記振幅制限値−Ｔhとの大小比較を行い、入力信号ＩＮの方が小である場合には論理レベル"１"、入力信号ＩＮの方が大である場合には論理レベル"０"の比較結果信号ＬＴを発生し、これをセレクタＳＥＬ２に供給する。セレクタＳＥＬ２は、セレクタＳＥＬ１から供給された値及び上記振幅制限値−Ｔhの内から、比較結果信号ＬＴの論理レベルに応じた方を択一的に選択し、これを出力信号ＯＵＴとして出力する。つまり、セレクタＳＥＬ２は、比較結果信号ＬＴが論理レベル"１"、すなわち入力信号ＩＮ及び振幅制限値Ｔhの内で入力信号ＩＮの方が小である場合には振幅制限値−Ｔhを出力する一方、比較結果信号ＬＴが論理レベル"０"、すなわち入力信号ＩＮの方が大である場合には、セレクタＳＥＬ１から供給された値を出力するのである。
【００５０】
以上の如き構成により、図１７に示されるリミッタにおいては、
｜ＩＮ｜＜Ｔhの場合には、ＯＵＴ＝ＩＮ
ＩＮ ＞Ｔhの場合には、ＯＵＴ＝Ｔh
ＩＮ ＜−Ｔhの場合には、ＯＵＴ＝−Ｔh
なる入出力特性にて読取信号Ｒに対する振幅制限を実現するのである。
【００５１】
尚、上記振幅制限回路５１の他の実現方法としては、図２（ａ）又は図２（ｂ）に示されるが如き非線形な入出力特性を、アドレス−読出データの関係に置き換えたメモリテーブルを有するＲＯＭを用いる方法がある。
【００５２】
図１８（ａ）は、かかるＲＯＭを用いて実施した振幅制限回路５１の構成例を示す図であり、図１８（ｂ）は、このＲＯＭのメモリテーブルの一例を示す図である。
【００５３】
更に、上記振幅制限回路５１を実現する方法として、Ａ／Ｄ変換器を用いる方法がある。この際、かかるＡ／Ｄ変換器としてはフラッシュ型のものを用い、そのＡ／Ｄ変換器に備えられているエンコード回路の変換テーブルに対して図１８（ｂ）に示されるような変更を加える。すなわち、振幅制限値Ｔh〜−Ｔhの範囲を越える出力に対しては、これを振幅制限値Ｔh又は−Ｔhなる固定値に変換するような変換テーブルを用いるのである。
【００５４】
又、上記実施例においては、高域強調フィルタ５２として、ＦＩＲフィルタを用いた例を示したが、アナログの高域強調フィルタであっても良い。更に、上記実施例において、過度な高域強調によるジッタの発生を防止する方法について説明したが、例えば、高域を減衰し過ぎることによるジッタの発生を防止する場合にも適用できる。その際には、高域強調フィルタ５２を、最短波長信号（ランレングス３Ｔ）よりも高域をカットするローパスフィルタとすれば良い。
【図面の簡単な説明】
【００５５】
【図１】本発明による波形等化器を備えた記録情報再生装置の構成を示す図である。
【図２】振幅制限回路５１における入出力特性を示す図である。
【図３】振幅制限回路５１によるジッタ発生の防止動作を示す図である。
【図４】高域強調フィルタ５２としてのＦＩＲフィルタの一例を示す図である。
【図５】波形等化器５の内部構成の他の一例を示す図である。
【図６】図５に示される波形等化器５の具体的な構成を示す図である。
【図７】波形等化器５の内部構成の他の一例を示す図である。
【図８】波形等化器５の内部構成の他の一例を示す図である。
【図９】振幅制限回路５１の内部構成の一例を示す図である。
【図１０】図９に示される振幅制限値生成回路５１１における動作波形の一例を示す図である。
【図１１】振幅制限回路５１の内部構成の他の例を示す図である。
【図１２】図１１に示される振幅制限回路５１における動作波形の一例を示す図である。
【図１３】図１１に示される振幅制限回路５１における動作波形の一例を示す図である。
【図１４】振幅制限値生成回路５１１の内部構成の他の例を示す図である。
【図１５】リミッタ５１０の構成を示す図である。
【図１６】図１５に示されるリミッタの入出力特性を示す図である。
【図１７】リミッタ５１０の他の構成を示す図である。
【図１８】リミッタ５１０の他の構成を示す図である。
【符号の説明】
【００５６】
５ 波形等化器
５１ 振幅制限回路
５２ 高域強調フィルタ
【図１】
2005190653.tif 000003
【図２】
2005190653.tif 000004
【図３】
2005190653.tif 000005
【図４】
2005190653.tif 000006
【図５】
2005190653.tif 000007
【図６】
2005190653.tif 000008
【図７】
2005190653.tif 000009
【図８】
2005190653.tif 000010
【図９】
2005190653.tif 000011
【図１０】
2005190653.tif 000012
【図１１】
2005190653.tif 000013
【図１２】
2005190653.tif 000014
【図１３】
2005190653.tif 000015
【図１４】
2005190653.tif 000016
【図１５】
2005190653.tif 000017
【図１６】
2005190653.tif 000018
【図１７】
2005190653.tif 000019
【図１８】
2005190653.tif 000020